(57)【要約】【課題】ノイズ発生が抑制されたタッチパネルセンサーのためのタッチパネルセンサー中間体、及びタッチパネルセンサーの製造方法を提供すること【解決手段】基材２上に並設された複数の帯状センサー電極３と、前記複数の帯状センサー電極３の一端にそれぞれ接続された複数の引き出し線４と、前記複数の引き出し線４に結合されたバスライン電極５とを備えることを特徴とするタッチパネルセンサー中間体１、及び、該タッチパネルセンサー中間体１の前記バスライン電極５から通電して、前記複数の帯状センサー電極３及び前記複数の引き出し線４に電解メッキを施す電解メッキ工程を含むことを特徴とするタッチパネルセンサーの製造方法。【選択図】図１
2018098446.tif 000002
【特許請求の範囲】
【請求項１】
基材上に並設された複数のセンサー電極と、
前記複数のセンサー電極の一端にそれぞれ接続された複数の引き出し線と、
前記複数の引き出し線に結合されたバスライン電極とを備えることを特徴とするタッチパネルセンサー中間体。
【請求項２】
前記バスライン電極は、前記複数の引き出し線が集約した個所で前記複数の引き出し線に結合され、前記複数のセンサー電極及び前記複数の引き出し線からなるタッチパネルセンサー領域の外部に存在することを特徴とする請求項１記載のタッチパネルセンサー中間体。
【請求項３】
前記センサー電極は金属細線からなり、
前記金属細線の線幅Ａは０．０１μｍ以上１０μｍ以下であり、
前記引き出し線の線幅Ｂは５μｍ以上２００μｍ以下であり、
前記バスライン電極の線幅Ｃは１００μｍ以上１０ｍｍ以下であり、
各線幅がＡ＜Ｂ＜Ｃの条件を満たすことを特徴とする請求項１又は２記載のタッチパネルセンサー中間体。
【請求項４】
前記センサー電極における前記一端とは反対側の他端と、前記バスライン電極との距離が３０ｍｍ以上であることを特徴とする請求項１〜３の何れかに記載のタッチパネルセンサー中間体。
【請求項５】
前記バスライン電極は、長尺状の前記基材の幅方向最外部に配置されていることを特徴とする請求項１〜４の何れかに記載のタッチパネルセンサー中間体。
【請求項６】
請求項１〜６の何れかに記載の前記タッチパネルセンサー中間体の前記バスライン電極から通電して、前記複数の引き出し線及び前記複数のセンサー電極に電解メッキを施す電解メッキ工程を含むことを特徴とするタッチパネルセンサーの製造方法。
【請求項７】
請求項２記載の前記タッチパネルセンサー中間体の前記バスライン電極から通電して、前記複数の引き出し線及び前記複数のセンサー電極に電解メッキを施す電解メッキ工程と、
前記電解メッキ工程に次いで、前記複数の引き出し線が集約した個所において、前記複数の引き出し線を切断する切断工程とを含むことを特徴とするタッチパネルセンサーの製造方法。
【発明の詳細な説明】
【技術分野】
【０００１】
本発明は、タッチパネルセンサー中間体、及びタッチパネルセンサーの製造方法に関し、より詳しくは、ノイズ発生が抑制されたタッチパネルセンサーのためのタッチパネルセンサー中間体、及びタッチパネルセンサーの製造方法に関する。
【背景技術】
【０００２】
特許文献１には、線幅１０μｍ以下の導電性細線により構成された格子パターンからなる導電膜に対して、該導電膜に接続された線幅２０μｍ以上の導電性の線から通電して、電解メッキを施すことが開示されている。
【０００３】
また、特許文献２には、電解メッキを均一に施す観点から、電解メッキが施される対象物（配線基板領域群）を取り囲むように導体を配置し、前記導体から通電して前記対象物に多方向から電解メッキを施すことが開示されている。
【先行技術文献】
【特許文献】
【０００４】
【特許文献１】特開２０１５−１２０４６号公報
【特許文献２】特開２００６−１４７６５９号公報
【発明の概要】
【発明が解決しようとする課題】
【０００５】
特許文献１の技術には、ノイズ発生が抑制されたタッチパネルセンサーを製造する観点で、更なる改善の余地が見出された。
【０００６】
また、特許文献２の技術は、タッチパネルセンサーの製造方法ではないため、ノイズ発生が抑制されたタッチパネルセンサーを製造することについては開示も示唆もない。
【０００７】
そこで本発明の課題は、ノイズ発生が抑制されたタッチパネルセンサーのためのタッチパネルセンサー中間体、及びタッチパネルセンサーの製造方法を提供することにある。
【０００８】
また本発明の他の課題は、以下の記載によって明らかとなる。
【課題を解決するための手段】
【０００９】
上記課題は、以下の各発明によって解決される。
【００１０】
１．
基材上に並設された複数のセンサー電極と、
前記複数のセンサー電極の一端にそれぞれ接続された複数の引き出し線と、
前記複数の引き出し線に結合されたバスライン電極とを備えることを特徴とするタッチパネルセンサー中間体。
２．
前記バスライン電極は、前記複数の引き出し線が集約した個所で前記複数の引き出し線に結合され、前記複数のセンサー電極及び前記複数の引き出し線からなるタッチパネルセンサー領域の外部に存在することを特徴とする前記１記載のタッチパネルセンサー中間体。
３．
前記センサー電極は金属細線からなり、
前記金属細線の線幅Ａは０．０１μｍ以上１０μｍ以下であり、
前記引き出し線の線幅Ｂは５μｍ以上２００μｍ以下であり、
前記バスライン電極の線幅Ｃは１００μｍ以上１０ｍｍ以下であり、
各線幅がＡ＜Ｂ＜Ｃの条件を満たすことを特徴とする前記１又は２記載のタッチパネルセンサー中間体。
４．
前記センサー電極における前記一端とは反対側の他端と、前記バスライン電極との距離が３０ｍｍ以上であることを特徴とする前記１〜３の何れかに記載のタッチパネルセンサー中間体。
５．
前記バスライン電極は、長尺状の前記基材の幅方向最外部に配置されていることを特徴とする前記１〜４の何れかに記載のタッチパネルセンサー中間体。
６．
前記１〜６の何れかに記載の前記タッチパネルセンサー中間体の前記バスライン電極から通電して、前記複数の引き出し線及び前記複数のセンサー電極に電解メッキを施す電解メッキ工程を含むことを特徴とするタッチパネルセンサーの製造方法。
７．
前記２記載の前記タッチパネルセンサー中間体の前記バスライン電極から通電して、前記複数の引き出し線及び前記複数のセンサー電極に電解メッキを施す電解メッキ工程と、
前記電解メッキ工程に次いで、前記複数の引き出し線が集約した個所において、前記複数の引き出し線を切断する切断工程とを含むことを特徴とするタッチパネルセンサーの製造方法。
【発明の効果】
【００１１】
本発明によれば、ノイズ発生が抑制されたタッチパネルセンサーのためのタッチパネルセンサー中間体、及びタッチパネルセンサーの製造方法を提供することができる。
【図面の簡単な説明】
【００１２】
【図１】タッチパネルセンサー中間体の第一態様を示す平面図
【図２】タッチパネルセンサー中間体の第二態様を示す平面図
【図３】電解メッキ工程を実施するための電解メッキ装置の一例を説明する概略構成図
【図４】タッチパネルセンサー中間体の第三態様を示す平面図
【図５】導電性細線の形成方法の一例を説明する図
【図６】メッシュパターン形成の第一態様を説明する図
【図７】メッシュパターン形成の第二態様を説明する図
【図８】比較例に係るタッチパネルセンサーを示す平面図
【図９】実施例に係るタッチパネルセンサーを示す平面図
【図１０】実施例に係るタッチパネルセンサーを示す平面図
【発明を実施するための形態】
【００１３】
以下に、図面を参照して本発明を実施するための形態について説明する。
【００１４】
＜タッチパネルセンサー中間体の第一態様＞
図１は、タッチパネルセンサー中間体の第一態様を示す平面図である。
【００１５】
第一態様に係るタッチパネルセンサー中間体１は、基材２上に並設された複数の帯状のセンサー電極３と、複数の帯状のセンサー電極３の一端にそれぞれ接続された複数の引き出し線４と、複数の引き出し線４に結合されたバスライン電極５とを備える。
【００１６】
タッチパネルセンサーを製造する際には、タッチパネルセンサー中間体１のバスライン電極５から通電して、複数の引き出し線４及び複数のセンサー電極３に電解メッキを施すことができる。電解メッキを施すことによって、複数の引き出し線４及び複数のセンサー電極３の導電性を向上することができる。
【００１７】
得られるタッチパネルセンサー（製品）において、センサー電極３は、Ｘ電極又はＹ電極を構成することができる。また、引き出し線４は、センサー電極３を、タッチパネルセンサーを制御するための図示しない集積回路（ＩＣ）に接続するために用いることができる。複数の引き出し線４は、バスライン電極５が除去されることによって、それぞれが独立した配線として機能することができる。
【００１８】
本発明によれば、タッチパネルセンサーにおいて、センサー電極３と集積回路とを接続するための配線（電気信号用配線）である引き出し線４を、該タッチパネルセンサーを製造する際の電解メッキ工程において、複数のセンサー電極３に通電するための配線として利用することができる。このとき、タッチパネルセンサー中間体１にバスライン電極５が設けられていることによって、電気信号用配線であるが故に通常は互いに電気的に独立に設けられる複数の引き出し線４を介して、一括して複数のセンサー電極３に通電を行うことができる。
【００１９】
また、上述したように、特許文献２には、電解メッキを均一に施す観点から、電解メッキが施される対象物を取り囲むように導体を配置し、前記導体から通電して前記対象物に多方向から電解メッキを施すことが開示されている。しかし、タッチパネルセンサーの製造方法においては、センサー電極に対して多方向から通電して電解メッキを施した場合、得られるタッチパネルセンサーがノイズを発生し、検出感度の信頼性が損なわれることがわかった。
【００２０】
これに対して、バスライン電極５及び引き出し線４を介して、センサー電極３の一端から通電して（つまり、一方向から通電して）電解メッキを施すことで、ノイズ発生が抑制される効果が得られる。このような一方向からの通電を実現するために、センサー電極３の一端に引き出し線４が接続されていることが重要であり、センサー電極３の他端には引き出し線の接続は不要である。
【００２１】
また更に、電解メッキによって、複数の引き出し線４及び複数のセンサー電極３に対して、同時に、同一種類の金属をメッキできる。例えば、高耐久の金属をメッキすることで、タッチパネルセンサーの耐久性を好適に向上することができる。
【００２２】
タッチパネルセンサー中間体１を構成する基材２は格別限定されないが、例えば透明性を有するものを好ましく用いることができる。基材２に透明性を付与できる材質として、例えば、ガラス、プラスチック等を挙げることができ、中でもプラスチックが好ましい。プラスチックは格別限定されず、例えば、ポリエチレンテレフタレート、ポリブチレンテレフタレート、ポリエチレン、ポリプロピレン、アクリル、ポリエステル、ポリアミド、ポリカーボネート等を挙げることができる。基材２は単層構造であっても積層構造であってもよい。例えば、基材２の表面にクリアハードコート層が設けられていてもよい。
【００２３】
また、センサー電極３、引き出し線４、及びバスライン電極５の材質は、導電性を有するものであれば格別限定されない。
【００２４】
＜タッチパネルセンサー中間体の第二態様＞
図２は、タッチパネルセンサー中間体の第二態様を示す平面図である。図２において、図１と同一の符号は同一の構成であるため、詳しい説明は省略する。
【００２５】
第二態様に係るタッチパネルセンサー中間体１は、長尺状の基材２上に、複数のセンサー電極３と、複数の引き出し線４とからなるタッチパネルセンサー領域（図２中、破線で囲まれた領域であり、以下、単にセンサー領域ともいう。）６を複数備えている。
【００２６】
タッチパネルセンサー中間体１は、基材２の長手方向に沿うセンサー領域６の列を、２列備えている。
【００２７】
バスライン電極５は、基材２上に２つ設けられている。各々のバスライン電極５は、一つの列を構成する複数のセンサー領域６に対して共通に設けられている。
【００２８】
バスライン電極５は、全体として、基材２の長手方向に沿うように設けられている。ここでは、バスライン電極５は、基材２の長手方向に沿う線状の幹部５１と、幹部５１から分岐された複数の線状の枝部５２とにより構成されている。
【００２９】
各々のセンサー領域６が備える複数の引き出し線４は、枝部５２においてバスライン電極５と結合されている。複数の引き出し線４におけるバスライン電極５と反対側の端部は、複数のセンサー電極３の一端にそれぞれ接続されている。
【００３０】
一つのセンサー領域６に属する複数の引き出し線４は、互いに所定の間隔を隔てて、バスライン電極５と結合されている。即ち、複数の引き出し線４のそれぞれがバスライン電極５と結合する結合点は、複数の引き出し線４ごとに個別に設けられている。
【００３１】
第二態様に係るタッチパネルセンサー中間体１は、第一態様と同様に、基材２上に並設された複数のセンサー電極３と、複数のセンサー電極３の一端にそれぞれ接続された複数の引き出し線４と、複数の引き出し線４に結合されたバスライン電極５とを備える。
【００３２】
タッチパネルセンサーを製造する際には、タッチパネルセンサー中間体１のバスライン電極５から通電して、複数の引き出し線４及び複数のセンサー電極３に電解メッキを施すことができる。特に第二態様では、バスライン電極５に対して共通に設けられた複数のセンサー領域６を構成する複数の引き出し線４及び複数のセンサー電極３に電解メッキを施すことができる。
【００３３】
複数のセンサー領域６は、電解メッキ工程の後、基材２から個別に切り出すことができる。切り出された複数の断片は、それぞれがタッチパネルセンサーを構成し得る。
【００３４】
このような多面取りによって、ノイズ発生が抑制されたタッチパネルセンサーを、より効率的に製造できる効果が得られる。
【００３５】
次に、図３を参照して、電解メッキ工程について更に詳しく説明する。
【００３６】
図３は電解メッキ工程を実施するための電解メッキ装置の一例を説明する概略構成図であり、図３（ａ）は電解メッキ装置を平面視した様子を、図３（ｂ）は電解メッキ装置を側面から見た様子を、それぞれ示している。
【００３７】
図３において、７はメッキ浴、８ａ、８ｂはアノード、９はカソードを構成するカソードロール、１０は搬送ロールである。
【００３８】
ここでは、電解メッキ装置は、複数の搬送ロール１０に掛け渡されたタッチパネルセンサー中間体１を所定の搬送方向αに搬送しながら、アノード８ａ、８ｂ及びカソードロール９に図示しない電源装置から電圧を印加して、タッチパネルセンサー中間体１をメッキ浴７中で電解メッキするように構成されている。
【００３９】
タッチパネルセンサー中間体１は、例えば、ロール状の巻回体（図示省略）から繰り出され、複数の搬送ロール１０に掛け渡される。図３の例では、タッチパネルセンサー中間体１は、該タッチパネルセンサー中間体１の両面に、ここでは図示されない上述したセンサー電極、引き出し線及びバスライン電極が設けられている。
【００４０】
図３の例では、二つのカソードロール９、９が、タッチパネルセンサー中間体１を挟持し、タッチパネルセンサー中間体１の両面のバスライン電極に電気的に接触するように設けられている。これにより、バスライン電極から通電して、複数のセンサー領域を構成する複数の引き出し線及び複数のセンサー電極に電解メッキを施すことができる。タッチパネルセンサー中間体１の両面に電解メッキを施す場合は、図３に示すように、タッチパネルセンサー中間体１の両面側のそれぞれにアノード８ａ、８ｂを設けることが好ましい。
【００４１】
カソードロール９は、メッキ浴７の下流側に配置することが好ましいが、これに限定されない。カソードロール９は、バスライン電極と接触可能であれば、何れの位置に設けられてもよい。例えば、カソードロール９を、メッキ浴７の上流側に配置してもよいし、メッキ浴７中に配置してもよい。また、カソードは、必ずしもロールの形態を有する必要はなく、タッチパネルセンサー中間体１のバスライン電極と接触可能な種々の形態を有することができる。
【００４２】
図３に示した電解メッキ装置は、タッチパネルセンサー中間体１を縦型搬送するように構成されているが、これに限定されない。電解メッキ装置は、例えば、タッチパネルセンサー中間体１を水平に搬送するものであってもよい。
【００４３】
図３に示した電解メッキ装置は、タッチパネルセンサー中間体１を搬送しながら連続式で電解メッキを施すように構成されているが、これに限定されない。電解メッキ装置は搬送機構を必ずしも有する必要はなく、バッチ式で電解メッキを施すように構成されてもよい。電解メッキ工程を実施するための電解メッキ装置は、バスライン電極から通電して引き出し線及びセンサー電極に電解メッキが可能なものであれば、自体公知のものを適宜用いることができる。
【００４４】
メッキ浴（メッキ液）には、例えば、メッキ金属のイオンを含有する水溶液を用いることができる。メッキ金属としては、例えば、銀、銅、ニッケル、クロム等が挙げられる。メッキ金属が異なる複数の電解メッキ工程を設けることも好ましい。例えば、銀からなる引き出し線及びセンサー電極に対して、先ず電解銅メッキを施して銅膜を形成し、次いで電解ニッケルメッキを施してニッケル層を形成することにより、導電性細線に高い導電性と耐久性を付与できる。特に表層に、ニッケル、クロム等のような高耐久の金属をメッキすることで、タッチパネルセンサーの耐久性を好適に向上できる。
【００４５】
次に、図２を参照して、切断工程について詳しく説明する。
【００４６】
切断工程は、電解メッキ工程の後に行うことができる。
【００４７】
切断工程では、センサー領域６からバスライン電極５が分離されるように、引き出し線４を切断する。引き出し線４の切断は、基材２上において引き出し線４のみを断線させるように行ってもよいし、基材２も含めて引き出し線４を切断してもよい。
【００４８】
バスライン電極５を分離することによって、センサー領域６を構成する複数の引き出し線４を、互いに電気的に独立させることができる。これにより、タッチパネルセンサーが得られる。切断工程後の複数の引き出し線４は、タッチパネルセンサーを制御するための図示しない集積回路（ＩＣ）に接続することができる。また、センサー電極３は、タッチパネルセンサーにおける位置検出電極、即ちＸ電極やＹ電極として用いることができる。
【００４９】
図２に示すように、バスライン電極５は、複数の引き出し線４が集約した個所で、複数の引き出し線４に結合されることが好ましい。これにより、引き出し線４の切断や、基材２からのタッチパネルセンサーの切り出しをより好適に行うことができる。更に、この効果をより良好に発揮する観点で、バスライン電極５は、センサー領域６の外部に存在することが好ましい。ここで、複数の引き出し線４が集約した個所というのは、複数の引き出し線４が寄せ集められている箇所のことであり、当該箇所における複数の引き出し線４の全体の幅（束の幅）は、複数のセンサー電極３に接続される箇所における複数の引き出し線４の全体の幅（束の幅）よりも狭い。また、センサー領域６の外部というのは、複数のセンサー電極３及び複数の引き出し線４からなる領域の外部であり、タッチパネルセンサー（製品）として切り出される領域の外部であることが好ましい。
【００５０】
この場合、複数の引き出し線４が集約した個所において複数の引き出し線４を切断することが好ましい。この切断は、基材２からのタッチパネルセンサーの切り出し（センサー領域６の輪郭である破線に沿う切り出し）を兼ねることができる。これにより、タッチパネルセンサーを構成するセンサー領域６から、バスライン電極５を容易に除去することができる。更に、切り出されたタッチパネルセンサーにおいて、上記の切断がなされた部位には、複数の引き出し線４が集約されているため、この部位を、例えばＦＰＣ（フレキシブルプリント基板；Flexible Printed Circuits）等の外部配線に接続するために好適に用いることができる。外部配線は、例えばＡＣＦ（異方性導電性フィルム；Anisotropic Conductive Film）を介して、上述した部位に接続することができる。外部配線は、タッチパネルセンサーを制御するための図示しない集積回路（ＩＣ）に接続することができる。
【００５１】
引き出し線４の切断工程や、基材２からのタッチパネルセンサーの切り出しには、切断刃やレーザー光等、自体公知の方法を用いることができる。
【００５２】
センサー電極３は金属細線からなることが好ましい。図２の例では、センサー電極３は、基材２上に二次元的に配置された複数の金属細線の集合体として構成されている。金属細線の配置は、規則性を有しても、有しなくてもよい。規則性を有する配置としては、ストライプ状の配置や、図２に示すようなメッシュ状の配置等が挙げられる。
【００５３】
センサー電極３を構成する金属細線の線幅Ａは０．０１μｍ以上１０μｍ以下であることが好ましい。また、引き出し線４の線幅Ｂは５μｍ以上２００μｍ以下であることが好ましい。また、バスライン電極５の線幅Ｃは１００μｍ以上１０ｍｍ以下であることが好ましい。
【００５４】
前記金属細線、引き出し線４及びバスライン電極５の各線幅Ａ、Ｂ及びＣは、上記の範囲内で、且つＡ＜Ｂ＜Ｃの条件を満たすことが特に好ましい。これにより、センサー電極３の低視認性（視認することが困難である性質）、タッチパネルセンサーの機能（検出感度等）、及びメッキ安定性を向上することができる。
【００５５】
また、図２に示すように、センサー電極３の他端とバスライン電極５との距離β１は、３０ｍｍ以上であることが好ましい。ここで、センサー電極３の他端とは、引き出し線４が接続された一端とは反対側の端部である。図２の例では、センサー電極３を帯状に設けているため、帯の一末端が一端、他末端が他端に対応している。メッキ終点（通電方向の最下流）であるセンサー電極３の他端を、バスライン電極５から所定間隔を置いて配置することによって、メッキ安定性を向上することができる。
【００５６】
また、基材２上に、センサー電極３に引き出し線４を介して接続されたバスライン電極５に加えて、他のバスライン電極５が存在する場合は、センサー電極３の他端と、他のバスライン電極５との距離β２は、３０ｍｍ以上であることが好ましい。これにより、メッキ安定性を向上することができる。
【００５７】
距離β１及び又はβ２を大きく設定することによってメッキ安定性が向上する理由は必ずしも明らかではないが、以下のように推定される。即ち、センサー電極３の他端は、メッキ終点（通電方向の最下流）であるため、電気抵抗等の影響で、電解メッキのための電位が不安定になり易い。一方、バスライン電極５は、通電方向の上流（即ち、カソードに近い）であるため、電解メッキのための電位が安定である。これらの結果、センサー電極３の他端に、バスライン電極５が近接していると、該バスライン電極５にメッキが集中して施されるものと推定される。これに対して、距離β１及び又はβ２を大きく設定することによって、バスライン電極５の影響が軽減され、センサー電極３の他端の電位が不安定であっても、安定にメッキが施されるものと推定される。特に、センサー電極３が例えば金属細線等の導電性細線によって構成される場合は、電気抵抗等の影響で、センサー電極３の他端の電位が不安定になり易いが、距離β１及び又はβ２を大きく設定することによって、より安定にメッキを施すことができる。この効果は、前記導電性細線の線幅が１０μｍ以下である場合、あるいは前記導電性細線の線幅がコーヒーステイン現象を利用して形成されたものである場合などに、特に顕著に発揮される。
【００５８】
省スペース化や、基材２からのタッチパネルセンサーの切り出し数を向上する観点では、距離β１及び又はβ２を小さく設定することが有効である。しかし、これらを犠牲にしても、距離β１及び又はβ２を３０ｍｍ以上確保することが好ましい。これによりメッキ安定性が向上し、タッチパネルセンサー機能の信頼性が向上するという効果が得られる。また、これにより不良品の発生が更に防止され、結果的に歩留まりを向上することができる。
【００５９】
このような効果を更に良好に発揮する観点で、バスライン電極５は、基材２の幅方向最外部に配置されていることが好ましい。上述した第二態様（図２）では、一部（図２中、左側）のバスライン電極５を長尺状の基材２の幅方向最外部に配置する場合について示したが、これに限定されない。以下に説明する第三態様のように、全てのバスライン電極５を長尺状の基材２の幅方向最外部に配置することも好ましいことである。
【００６０】
＜タッチパネルセンサー中間体の第三態様＞
図４は、タッチパネルセンサー中間体の第三態様を示す平面図である。図４において、図１及び図２と同一の符号は同一の構成であるため、詳しい説明は省略する。
【００６１】
第三態様において、バスライン電極５は、長尺状の基材２の幅方向最外部に配置されている。つまり、基材２上には、センサー領域６が２列で設けられている。そして、２列のセンサー領域６の各々に対応して、計２本のバスライン電極５が、基材２の長手方向に沿って設けられている。ここで、図中、左列のセンサー領域６に対応するバスライン電極５は該左列のセンサー領域６の左側に設けられ、右列のセンサー領域６に対応するバスライン電極５は該右列のセンサー領域６の右側に設けられている。この結果、全てのセンサー領域６が、２本のバスライン電極５の間に配置されている。
【００６２】
このような配置とすることで、距離β１及び又はβ２が大きく確保され、メッキ安定性が向上し、タッチパネルセンサー機能の信頼性が更に向上する効果が得られる。
【００６３】
＜タッチパネルセンサー中間体の製造方法＞
次に、タッチパネルセンサー中間体の製造方法について説明することで、タッチパネルセンサー中間体について更に詳しく説明する。
【００６４】
タッチパネルセンサー中間体は、例えば、基材２上に、センサー電極３、引き出し線４、及びバスライン電極５を形成することによって製造することができる。
【００６５】
センサー電極３、引き出し線４、及びバスライン電極５の形成方法は、これらをパターニングできれば格別限定されず、例えば印刷法等が好適に用いられる。印刷法においては、導電材料を含有するインクを基材上に付与してパターニングすることができる。
【００６６】
印刷法は格別限定されず、例えば、スクリーン印刷法、凸版印刷法、凹版印刷法、オフセット印刷法、フレキソ印刷法、インクジェット法等が挙げられ、中でもインクジェット法が好ましい。インクジェット法におけるインクジェットヘッドの液滴吐出方式は格別限定されず、例えばピエゾ方式やサーマル方式等が挙げられる。
【００６７】
インクに含有させる導電性材料は格別限定されず、例えば、導電性微粒子、導電性ポリマー等が挙げられる。
【００６８】
導電性微粒子として、例えば、金属微粒子、カーボン微粒子等が挙げられる。
【００６９】
金属微粒子を構成する金属として、例えば、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等が挙げられる。これらの中でも、Ａｕ、Ａｇ、Ｃｕが好ましく、Ａｇが特に好ましい。金属微粒子の平均粒子径は、例えば１〜１００ｎｍ、更には３〜５０ｎｍとすることができる。平均粒子径は、体積平均粒子径であり、マルバーン社製「ゼータサイザ１０００ＨＳ」により測定することができる。
【００７０】
カーボン微粒子としては、例えば、グラファイト微粒子、カーボンナノチューブ、フラーレン等が挙げられる。
【００７１】
導電性ポリマーとしては、格別限定されないが、π共役系導電性高分子を好ましく挙げることができる。π共役系導電性高分子としては、例えば、ポリチオフェン類やポリアニリン類等が挙げられる。π共役系導電性高分子は、例えばポリスチレンスルホン酸等のようなポリアニオンと共に用いてもよい。
【００７２】
インクに用いられる溶媒は格別限定されず、水や有機溶剤から選択された一種又は複数種を含むことができる。有機溶剤としては、例えば、１，２−ヘキサンジオール、２−メチル−２，４−ペンタンジオール、１，３−ブタンジオール、１，４−ブタンジオール、プロピレングリコール等のアルコール類、ジエチレングリコールモノメチルエーテル、ジエチレングリコールモノエチルエーテル、ジエチレングリコールモノブチルエーテル、トリエチレングリコールモノメチルエーテル、ジプロピレングリコールモノメチルエーテル、ジプロピレングリコールモノエチルエーテル等のエーテル類等が挙げられる。
【００７３】
また、インクには界面活性剤等の他の成分を含有させることができる。界面活性剤は格別限定されず、例えばシリコン系界面活性剤等が挙げられる。インク中の界面活性剤の濃度は、例えば１重量％以下とすることができる。
【００７４】
〔コーヒーステイン現象〕
センサー電極３を金属細線等のような導電性細線によって構成する場合は、該導電性細線の形成にコーヒーステイン現象を利用することが好ましい。これについて、図５を参照して説明する。
【００７５】
まず、図５（ａ）に示すように、基材１上に、導電性材料を含むインクからなるライン状液体３０を付与する。
【００７６】
次いで、ライン状液体３０を乾燥させる過程でライン状液体３０の縁に導電材料を選択的に堆積させることによって、図５（ｂ）に示すように、導電性細線３１を形成することができる。この例では、ライン状液体３０の長手方向に沿う両縁に導電材料を選択的に堆積させることによって、一対の導電性細線３１、３１を形成している。ライン状液体３０の線幅を均一に形成することによって、一対の導電性細線３１、３１を互いに平行に形成することができる。
【００７７】
導電性細線３１の線幅は、ライン状液体３０の線幅よりも細く、例えば２０μｍ以下、１５μｍ以下、更には１０μｍ以下とすることができる。導電性細線３１の線幅の下限は格別限定されないが、安定な導電性を付与する等の観点では、例えば１μｍ以上とすることができる。コーヒーステイン現象を促進させて導電性細線３１の線幅を細くする観点では、インク中の導電性材料の濃度を、例えば５重量％以下とすることができ、更には０．０１重量％以上１．０重量％以下とすることができる。
【００７８】
一又は複数の導電性細線３１によって種々のパターンを形成することができる。このようなパターンからなる導電膜によって一つのセンサー電極３を構成することができる。このようなパターンとして、例えばストライプパターンやメッシュパターン等が挙げられる。以下に、図６を参照してメッシュパターン形成の第一態様について説明し、次いで、図７を参照してメッシュパターン形成の第二態様について説明する。
【００７９】
〔メッシュパターン形成の第一態様〕
メッシュパターン形成の第一態様においては、まず、図６（ａ）に示すように、基材１上に、所定の間隔で並設された複数のライン状液体３０を形成する。
【００８０】
次いで、図６（ｂ）に示すように、ライン状液体３０を乾燥させる際にコーヒーステイン現象を利用して、各々のライン状液体３０から一対の導電性細線３１、３１を形成する。
【００８１】
次いで、図６（ｃ）に示すように、先に形成された複数の導電性細線３１と交差するように、所定の間隔で並設された複数のライン状液体３０を形成する。
【００８２】
次いで、図６（ｄ）に示すように、ライン状液体３０を乾燥させる際にコーヒーステイン現象を利用して、各々のライン状液体３０から一対の導電性細線３１、３１を形成する。以上のようにしてメッシュパターンを形成することができる。図６（ｄ）は、図１における一つのセンサー電極３内の一領域Ｐの拡大図に相当し得る。このようなパターンを基材上に延設することでセンサー電極３を形成することができる。
【００８３】
図６の例では、ライン状液体３０及び導電性細線３１を直線にしているが、これに限定されない。ライン状液体３０及び導電性細線３１の形状は、例えば波線又は折線等であってもよい。
【００８４】
〔メッシュパターン形成の第二態様〕
メッシュパターン形成の第二態様においては、まず、図７（ａ）に示すように、基材１上に、基材１の長手方向（図中、上下方向）及び幅方向（図中、左右方向）に所定の間隔で並設された、複数の四角形を成すライン状液体３０を形成する。
【００８５】
次いで、図７（ｂ）に示すように、ライン状液体３０を乾燥させる際にコーヒーステイン現象を利用して、各々のライン状液体３０から、一対の導電性細線３１、３１からなる細線ユニットを形成する。かかる細線ユニットにおいて、導電性細線３１、３１は、一方（外側の導電性細線３１）が他方（内側の導電性細線３１）を内部に包含しており、同心状に形成されている。また、導電性細線３１、３１はそれぞれ、ライン状液体３０の両縁（内周縁及び外周縁）の形状に対応して四角形を成している。
【００８６】
次いで、図７（ｃ）に示すように、基材１上に、基材１の長手方向及び幅方向に所定の間隔で並設された、複数の四角形を成すライン状液体３０を形成する。ここで、複数の四角形を成すライン状液体３０は、先に形成された細線ユニットの間に挟まれる位置に形成される。ここでは、四角形を成すライン状液体３０は、これに隣接する細線ユニットのうちの外側の導電性細線３１と接触するが、内側の導電性細線３１とは接触しないように配置されている。
【００８７】
次いで、図７（ｄ）に示すように、ライン状液体３０を乾燥させる際にコーヒーステイン現象を利用して、各々のライン状液体３０から、一対の導電性細線３１、３１からなる細線ユニットを更に形成する。
【００８８】
図７（ｄ）に示すパターンにおいて、外側の導電性細線３１は、隣接する外側の導電性細線３１と互いに接続されている。一方、内側の導電性細線３１は、他の内側の導電性細線３１、及び、外側の導電性細線３１と接続されていない。即ち、内側の導電性細線３１は、孤立するように配置されている。
【００８９】
図７（ｄ）に示すパターンを、そのままメッシュパターンとして用いてもよい。また、図７（ｄ）に示すパターンにおける内側の導電性細線３１を除去し、外側の導電性細線３１からなるメッシュパターン（図３（ｅ））を形成してもよい。図７（ｄ）又は図７（ｅ）は、図１における一つのセンサー電極３内の一領域Ｐの拡大図に相当し得る。このようなパターンを基材上に延設することでセンサー電極３を形成することができる。メッシュパターン形成の第二態様によれば、導電性細線３１を自由度高く形成できる効果が得られる。特に一つのセンサー電極３を構成する複数の導電性細線３１の配置間隔を、ライン状液体３０の線幅に依拠せず自由度高く設定できる効果が得られる。
【００９０】
内側の導電性細線３を除去する方法は格別限定されず、例えば、レーザー光等のようなエネルギー線を照射する方法や、化学的にエッチング処理する方法等を用いることができる。
【００９１】
また、外側の導電性細線３に電解めっきを施す際に、内側の導電性細線３をめっき液によって除去する方法を用いてもよい。上述したように内側の導電性細線３は孤立するように配置されており、外側の導電性細線３に電解めっきを施すための通電経路から除外することができる。そのため、外側の導電性細線３に電解めっきを施している間（通電している間）に、電解めっきが施されない内側の導電性細線３を、めっき液によって溶解又は分解して除去することができる。
【００９２】
図７の例では、ライン状液体２及び導電性細線３を四角形にしているが、これに限定されない。ライン状液体２及び導電性細線３の形状として、例えば閉じられた幾何学図形が挙げられる。閉じられた幾何学図形としては、例えば三角形、四角形、六角形、八角形等の多角形が挙げられる。また、閉じられた幾何学図形は、例えば円形、楕円形等のように曲線要素を含むことができる。
【００９３】
タッチパネルセンサー中間体は、タッチパネルセンサーを製造するために好適に用いることができる。タッチパネルセンサーとしては、例えば、タッチされた部分の抵抗値変化を検出する抵抗膜方式、あるいは静電容量変化を検出する静電容量方式、または光量変化を検出する光センサー方式等が挙げられる。
【００９４】
以上の説明において、一つの態様について説明された構成は、他の態様に適宜適用することができる。
【実施例】
【００９５】
以下に、本発明の実施例について説明するが、本発明はかかる実施例により限定されない。
【００９６】
（実施例１）
１．タッチパネルセンサー中間体の製造
図１に示したものと同様のタッチパネルセンサー中間体１を製造した。
【００９７】
ここで、センサー電極３、引き出し線４及びバスライン電極５の形成には、インクジェット法を用いた。インクには、導電性材料として銀ナノ粒子（平均粒子径：２０ｎｍ）を含有させた。
【００９８】
センサー電極３の形成に用いたインクは、引き出し線４及びバスライン電極５の形成に用いたインクよりも銀ナノ粒子の濃度を低く設定した。これにより、センサー電極３を構成する金属細線を、コーヒーステイン現象を利用して形成した。
【００９９】
センサー電極３（ここでは、金属細線からなるメッシュ）の形成に際しては、まず、基材２上にインクをライン状に付与して複数のライン状液体を形成し、液体を乾燥させる際に、ライン状液体内部の内部流動によって銀ナノ粒子をライン状液体の線幅方向両端に選択的に堆積させた。これにより、各ライン状液体から、互いに平行な金属細線が形成された。更に、これらの金属細線と交差するように、複数のライン状液体を形成し、各ライン状液体から、互いに平行な金属細線を形成した。これにより、メッシュ状に配置された金属細線からなるセンサー電極３を形成した。
【０１００】
表１に示すように、センサー電極３を構成する金属細線の線幅Ａは５μｍ、引き出し線４の線幅Ｂは６０μｍ、バスライン電極５の線幅Ｃは９ｍｍとした。
【０１０１】
２．タッチパネルセンサーの製造
（１）電解メッキ工程
得られたタッチパネルセンサー中間体１のバスライン電極５から通電して、複数の引き出し線４及び複数のセンサー電極３に電解メッキを施した。
【０１０２】
ここで、メッキ浴には、銅イオンを含む水溶液を用いた。アノードが設置されたメッキ浴にタッチパネルセンサー中間体１を浸漬した状態で、前記アノードと、バスライン電極５に接続したカソードとの間に電圧を印加した。
【０１０３】
実施例１のタッチパネルセンサー中間体１において、バスライン電極５に接続された複数の引き出し線４は、それぞれ、センサー電極３の一端に接続されている。そのため、電解メッキに際して、センサー電極３には一端からのみ通電されるようになっている。
【０１０４】
（２）切断工程
バスライン電極５と平行に、複数の引き出し線４を横切るように、タッチパネルセンサー中間体１を基材２ごと切断し、センサー領域６からバスライン電極５を分離、除去し、タッチパネルセンサーを得た。
【０１０５】
３．評価方法
上記により得られた２枚のタッチパネルセンサーを、一方をＸ電極用、他方をＹ電極用として、それぞれのセンサー電極が交差するように重ねて貼付けした。また、各タッチパネルセンサーの引き出し線は、ＩＣに接続した。これにより、ＸＹセンサー（ＸＹ座標上の位置検出を行うタッチパネルセンサー）を得た。得られたＸＹセンサー平面を５ｍｍ□領域ごとに分割し、各領域に導体タッチで刺激を与えたときの入力信号に対する、検出領域出力信号との差分（誤差）をノイズ量（ｄｂ）として計算した。結果を表１に示す。
【０１０６】
（実施例２）
実施例１において、バスライン電極５の線幅Ｃを３ｍｍとしたこと以外は、実施例１と同様にした。結果を表１に示す。
【０１０７】
（実施例３）
実施例１において、バスライン電極５の線幅Ｃを１ｍｍとしたこと以外は、実施例１と同様にした。結果を表１に示す。
【０１０８】
（実施例４）
実施例１において、バスライン電極５の線幅Ｃを１２０μｍとしたこと以外は、実施例１と同様にした。結果を表１に示す。
【０１０９】
（実施例５）
実施例１において、バスライン電極５の線幅Ｃを８０μｍとしたこと以外は、実施例１と同様にした。結果を表１に示す。
【０１１０】
（比較例１）
実施例１において、図８（ａ）に示すタッチパネルセンサー中間体１０１を製造したこと以外は、実施例１と同様にした。タッチパネルセンサー中間体１０１において、バスライン電極３に接続された引き出し線４は、センサー電極３の両端に接続されている。そのため、比較例１では、電解メッキに際して、センサー電極には両端から（多方向から）通電されるようになっている。
【０１１１】
また、比較例１の切断工程では、バスライン電極３の両端に接続された引き出し線４を切断した。切断後、バスライン電極３の一端に接続された引き出し線をＩＣに接続した。バスライン電極３の他端に接続された引き出し線は、完全に除去することが困難であるため、他端に一部が残留した状態である（図８（ｂ））。
【０１１２】
実施例１と同様に評価した結果を表１に示す。
【０１１３】
【表１】
2018098446.tif 000003
【０１１４】
＜評価＞
実施例１〜５では、比較例１との対比で、ノイズ量を大幅に低減できることがわかる。比較例１におけるノイズの原因は必ずしも明らかではないが、例えば、センサー電極の他端に引き出し線の一部が残留していること等が推定される。従って、本発明のタッチパネルセンサー中間体は、ノイズ発生が抑制されたタッチパネルセンサーを製造するために好ましく用いることができる。
【０１１５】
（実施例６）
実施例６では、図９に示すタッチパネルセンサー中間体１を用いた。
【０１１６】
図９のタッチパネルセンサー中間体１は、実施例３（バスライン電極の線幅Ｃ＝１ｍｍ）と同様のセンサー電極３、引き出し線４及びバスライン電極５からなるセットを、基材２上に計２セット有している。
【０１１７】
ここで、一方（図９中、左側）のバスライン電極５は、センサー電極３及び引き出し線４からなる左側のセンサー領域６の左側、即ち基材２の幅方向最外部に配置されている。他方（図９中、右側）のバスライン電極５は、センサー電極３及び引き出し線４からなる右側のセンサー領域６の左側、即ち基材２の幅方向最外部ではなく中央側に配置されている。
【０１１８】
電解メッキ工程では、２つのバスライン電極５をカソードに接続して通電した。
【０１１９】
切断工程では、基材２から２つのセンサー領域６を切り出すように、図９中の破線に沿って引き出し線４を切断した。これにより、２枚のタッチパネルセンサーを得た。
【０１２０】
上記により得られた２枚のタッチパネルセンサーを用いて実施例１と同様にしてＸＹセンサー（ＸＹ座標系の位置検出センサー）を得、実施例１と同様に評価した。その結果、ノイズ量は１５（ｄｂ）であった。
【０１２１】
（実施例７）
実施例７では、図１０に示すタッチパネルセンサー中間体１を用いた。
【０１２２】
図１０のタッチパネルセンサー中間体１は、実施例３と同様のセンサー電極３、引き出し線４及びバスライン電極５からなるセットを、基材２上に計２セット有している。
【０１２３】
ここで、一方（図１０中、左側）のバスライン電極５は、センサー電極３及び引き出し線４からなる左側のセンサー領域６の左側、即ち基材２の幅方向最外部に配置されている。他方（図１０中、右側）のバスライン電極５は、センサー電極３及び引き出し線４からなる右側のセンサー領域６の右側、即ち基材２の幅方向最外部に配置されている。つまり、全てのバスライン電極５が基材２の幅方向最外部に配置されている。
【０１２４】
かかるタッチパネルセンサー中間体１に、実施例６と同様に電解メッキ工程及び切断工程を施して２枚のタッチパネルセンサーを得た。
【０１２５】
上記により得られた２枚のタッチパネルセンサーを用いて実施例１と同様にしてＸＹセンサー（ＸＹ座標系の位置検出センサー）を得、実施例１と同様に評価した。その結果、ノイズ量は１２（ｄｂ）であった。
【０１２６】
＜評価＞
実施例６、７では、センサー電極３、引き出し線４及びバスライン電極５からなるセットを基材２上に２つ設けている。そのため、１セットのみの場合（実施例３）と比較して、タッチパネルセンサーの製造効率が向上する。
【０１２７】
実施例６では、１セットのみの場合（実施例３）と比較して、ノイズが僅かに増加した。この理由として、電解メッキ工程において２つのセット間で干渉が生じていること等が推定される。なお、実施例６は、比較例１との対比では、十分なノイズ抑制効果を発揮している。
【０１２８】
これに対して、全てのバスライン電極５が基材２の幅方向最外部に配置されている実施例７では、１セットのみの場合（実施例３）と同等のレベルまでノイズが低減されていることがわかる。
【符号の説明】
【０１２９】
１：タッチパネルセンサー中間体
２：基材
３：センサー電極
４：引き出し線
５：バスライン電極
６：タッチパネルセンサー領域
【図１】
2018098446.tif 000004
【図２】
2018098446.tif 000005
【図３】
2018098446.tif 000006
【図４】
2018098446.tif 000007
【図５】
2018098446.tif 000008
【図６】
2018098446.tif 000009
【図７】
2018098446.tif 000010
【図８】
2018098446.tif 000011
【図９】
2018098446.tif 000012
【図１０】
2018098446.tif 000013